(57)【要約】  【課題】  製氷された氷を脱氷するために、製氷皿を反転させて、更に製氷皿を捩じる場合の駆動装置のトルクを小さくできる冷蔵庫を提供すること。  【解決手段】  製氷皿１７底面温度が−１１℃になると、製氷完了センサ２８が製氷完了を検出し、また検氷レバー４５を貯氷容器２１に向って回転させ満氷検出センサ２９が満氷でないことを検出した場合において、温度検出センサ２６が冷凍室８の室内温度が−１６℃であることを検出すると、制御装置２７が圧縮機１４Ｂ及び送風機１４Ａを運転させると共にタイマー４９が計時動作を開始し、また制御装置２７は駆動装置１８を制御して製氷皿１７を概ね９０度回動させ、蓋体３８により吹出口１５を閉塞し、冷凍室８の室内温度を上昇させる。その後、タイマー４９が所定時間経過を計時すると、制御装置２７は更に製氷皿１７を回動させ、更に捩じりを加えて脱氷させる。  【選択図】  図３
2005134092.tif 000002
【特許請求の範囲】
【請求項１】
冷蔵室内に設置した給水タンクからの水を冷凍温度帯室内の製氷皿に供給し、冷凍サイクルを構成する冷却器で冷却された冷気を送風機により吹出口を介して供給することにより製氷された氷を脱氷装置により脱氷して貯氷容器に収納するようにした冷蔵庫において、前記製氷皿に前記吹出口を閉塞可能な蓋体を設け、前記冷凍温度帯室内の温度を検出する温度検出装置が所定温度を検出したときに前記脱氷装置の脱氷の前に前記脱氷装置の駆動装置を駆動させて前記製氷皿を所定角度回動させて前記吹出口を前記蓋体で閉塞することを特徴とする冷蔵庫。
【請求項２】
冷蔵室内に設置した給水タンクからの水を冷凍温度帯室内の製氷皿に供給し、冷凍サイクルを構成する冷却器で冷却された冷気を送風機により吹出口を介して供給することにより製氷された氷を脱氷装置により脱氷して貯氷容器に収納するようにした冷蔵庫において、前記吹出口を閉塞するために前記製氷皿に設けられた蓋体と、前記冷凍温度帯室内の温度を検出する温度検出装置と、この温度検出装置が所定温度を検出したときに前記脱氷装置の脱氷の前に前記脱氷装置の駆動装置を駆動させて前記製氷皿を所定角度回動させて前記吹出口を前記蓋体で閉塞するように制御する制御装置とを設けたことを特徴とする冷蔵庫。
【請求項３】
冷蔵室内に設置した給水タンクからの水を冷凍温度帯室内の製氷皿に供給し、冷凍サイクルを構成する冷却器で冷却された冷気を送風機により吹出口を介して供給することにより製氷された氷を脱氷装置により脱氷して貯氷容器に収納するようにした冷蔵庫において、前記吹出口を閉塞するために前記製氷皿に設けられた蓋体と、前記冷凍温度帯室内の温度を検出する温度検出装置と、この温度検出装置が所定温度を検出したときに前記脱氷装置の駆動装置を駆動させて前記製氷皿を所定角度回動させて前記吹出口を前記蓋体で閉塞するように制御する第１の制御装置と、前記温度検出装置が前記所定温度を検出したときから計時するタイマーと、このタイマーが所定時間を計時すると前記脱氷装置の駆動装置を駆動させて脱氷するように制御する第２の制御装置とを設けたことを特徴とする冷蔵庫。
【請求項４】
冷蔵室内に設置した給水タンクからの水を冷凍温度帯室内の製氷皿に供給し、冷凍サイクルを構成する冷却器で冷却された冷気を送風機により吹出口を介して供給することにより製氷された氷を脱氷装置により脱氷して貯氷容器に収納するようにした冷蔵庫において、前記吹出口を閉塞するために前記製氷皿に設けられた蓋体と、前記冷凍温度帯室内の温度を検出する温度検出装置と、この温度検出装置が第１の所定温度を検出したときに前記脱氷装置の駆動装置を駆動させて前記製氷皿を所定角度回動させて前記吹出口を前記蓋体で閉塞するように制御する第１の制御装置と、この第１の制御装置により制御されて前記吹出口が前記蓋体で閉塞されて前記第１の所定温度より高い第２の所定温度を検出すると前記脱氷装置の駆動装置を駆動させて脱氷するように制御する第２の制御装置とを設けたことを特徴とする冷蔵庫。
【請求項５】
冷蔵室内に設置した給水タンクからの水を冷凍温度帯室内の製氷皿に供給し、冷凍サイクルを構成する冷却器で冷却された冷気を送風機により吹出口を介して供給することにより製氷された氷を脱氷装置により脱氷して貯氷容器に収納するようにした冷蔵庫において、前記吹出口を閉塞するために前記製氷皿に設けられた蓋体と、前記冷凍温度帯室内の温度を検出する温度検出装置と、製氷が完了したことを検出する製氷完了検出装置と、前記貯氷容器内に所定量以上の氷が収納されているかを検出する満氷検出装置と、前記製氷完了検出装置が製氷が完了したことを検出し且つ前記満氷検出装置で所定量以上の氷が収納されていないと検出されている状態下で前記温度検出装置が所定温度を検出したときに前記脱氷装置の脱氷を行う前に前記製氷皿を所定角度回動させて前記吹出口を前記蓋体で閉塞するように制御する制御装置とを設けたことを特徴とする冷蔵庫。
【請求項６】
冷蔵室内に設置した給水タンクからの水を冷凍温度帯室内の製氷皿に供給し、冷凍サイクルを構成する冷却器で冷却された冷気を送風機により吹出口を介して供給することにより製氷された氷を脱氷装置により脱氷して貯氷容器に収納するようにした冷蔵庫において、前記吹出口を閉塞するために前記製氷皿に設けられた蓋体と、前記冷凍温度帯室内の温度を検出する温度検出装置と、製氷が完了したことを検出する製氷完了検出装置と、前記貯氷容器内に所定量以上の氷が収納されているかを検出する満氷検出装置と、前記製氷完了検出装置が製氷が完了したことを検出し且つ前記満氷検出装置で所定量以上の氷が収納されていないと検出されている状態下で前記温度検出装置が所定温度を検出したときに前記脱氷装置の脱氷を行う前に前記製氷皿を所定角度回動させて前記吹出口を前記蓋体で閉塞するように制御する第１の制御装置と、前記温度検出装置が前記所定温度を検出したときから計時するタイマーと、このタイマーが所定時間を計時すると前記脱氷装置が脱氷するように制御する第２の制御装置とを設けたことを特徴とする冷蔵庫。
【請求項７】
冷蔵室内に設置した給水タンクからの水を冷凍温度帯室内の製氷皿に供給し、冷凍サイクルを構成する冷却器で冷却された冷気を送風機により吹出口を介して供給することにより製氷された氷を脱氷装置により脱氷して貯氷容器に収納するようにした冷蔵庫において、前記吹出口を閉塞するために前記製氷皿に設けられた蓋体と、前記冷凍温度帯室内の温度を検出する温度検出装置と、製氷が完了したことを検出する製氷完了検出装置と、前記貯氷容器内に所定量以上の氷が収納されているかを検出する満氷検出装置と、前記製氷完了検出装置が製氷が完了したことを検出し且つ前記満氷検出装置で所定量以上の氷が収納されていないと検出されている状態下で前記温度検出装置が第１の所定温度を検出したときに前記脱氷装置の脱氷を行う前に前記製氷皿を所定角度回動させて前記吹出口を前記蓋体で閉塞するように制御する第１の制御装置と、この第１の制御装置により制御されて前記吹出口が前記蓋体で閉塞されて前記第１の所定温度より高い第２の所定温度を検出すると前記脱氷装置が脱氷するように制御する第２の制御装置とを設けたことを特徴とする冷蔵庫。
【請求項８】
冷凍室の温度が上昇して第１の所定温度に達すると圧縮機をオンさせて冷却運転を行い、前記冷凍室の温度が下降して第２の所定温度に達すると前記圧縮機をオフさせることにより冷却運転を停止する繰り返し運転を行うと共に冷却器で冷却された冷気を送風機により吹出口を介して供給することにより製氷された氷を脱氷装置が製氷皿を捩じることにより脱氷を行うようにした冷蔵庫において、前記製氷皿に前記吹出口を閉塞可能な蓋体を設け、前記脱氷装置の脱氷を行う前に前記製氷皿を所定角度回動させて前記吹出口を前記蓋体で閉塞することを特徴とする冷蔵庫。
【発明の詳細な説明】
【技術分野】
【０００１】
本発明は、冷蔵室内に設置した給水タンクからの水を冷凍温度帯室内の製氷皿に供給し、冷凍サイクルを構成する冷却器で冷却された冷気を送風機により吹出口を介して供給することにより製氷された氷を脱氷装置により脱氷して貯氷容器に収納するようにした冷蔵庫に関するものである。
【背景技術】
【０００２】
従来より、この種の脱氷装置を備えた冷蔵庫は一般に広く知られている（特許文献１参照）。
【特許文献１】特開２００３―１７２５６３号公報
【発明の開示】
【発明が解決しようとする課題】
【０００３】
しかし、前述せる冷蔵庫は、製氷された氷を脱氷するために、製氷皿を反転させて、更に捩じるが、周囲温度が低く、冷凍サイクルを無視した制御であるため、前記製氷皿に氷が付着しているので、捩じるための大きなトルクが必要であった。
【０００４】
そこで本発明は、製氷された氷を脱氷するために、製氷皿を反転させて、更に製氷皿を捩じる場合の駆動装置のトルクを小さくできる冷蔵庫を提供することを目的とする。
【課題を解決するための手段】
【０００５】
このため第１の発明は、冷蔵室内に設置した給水タンクからの水を冷凍温度帯室内の製氷皿に供給し、冷凍サイクルを構成する冷却器で冷却された冷気を送風機により吹出口を介して供給することにより製氷された氷を脱氷装置により脱氷して貯氷容器に収納するようにした冷蔵庫において、前記製氷皿に前記吹出口を閉塞可能な蓋体を設け、前記冷凍温度帯室内の温度を検出する温度検出装置が所定温度を検出したときに前記脱氷装置の脱氷の前に前記脱氷装置の駆動装置を駆動させて前記製氷皿を所定角度回動させて前記吹出口を前記蓋体で閉塞することを特徴とする。
【０００６】
第２の発明は、冷蔵室内に設置した給水タンクからの水を冷凍温度帯室内の製氷皿に供給し、冷凍サイクルを構成する冷却器で冷却された冷気を送風機により吹出口を介して供給することにより製氷された氷を脱氷装置により脱氷して貯氷容器に収納するようにした冷蔵庫において、前記吹出口を閉塞するために前記製氷皿に設けられた蓋体と、前記冷凍温度帯室内の温度を検出する温度検出装置と、この温度検出装置が所定温度を検出したときに前記脱氷装置の脱氷の前に前記脱氷装置の駆動装置を駆動させて前記製氷皿を所定角度回動させて前記吹出口を前記蓋体で閉塞するように制御する制御装置とを設けたことを特徴とする。
【０００７】
第３の発明は、冷蔵室内に設置した給水タンクからの水を冷凍温度帯室内の製氷皿に供給し、冷凍サイクルを構成する冷却器で冷却された冷気を送風機により吹出口を介して供給することにより製氷された氷を脱氷装置により脱氷して貯氷容器に収納するようにした冷蔵庫において、前記吹出口を閉塞するために前記製氷皿に設けられた蓋体と、前記冷凍温度帯室内の温度を検出する温度検出装置と、この温度検出装置が所定温度を検出したときに前記脱氷装置の駆動装置を駆動させて前記製氷皿を所定角度回動させて前記吹出口を前記蓋体で閉塞するように制御する第１の制御装置と、前記温度検出装置が前記所定温度を検出したときから計時するタイマーと、このタイマーが所定時間を計時すると前記脱氷装置の駆動装置を駆動させて脱氷するように制御する第２の制御装置とを設けたことを特徴とする。
【０００８】
第４の発明は、冷蔵室内に設置した給水タンクからの水を冷凍温度帯室内の製氷皿に供給し、冷凍サイクルを構成する冷却器で冷却された冷気を送風機により吹出口を介して供給することにより製氷された氷を脱氷装置により脱氷して貯氷容器に収納するようにした冷蔵庫において、前記吹出口を閉塞するために前記製氷皿に設けられた蓋体と、前記冷凍温度帯室内の温度を検出する温度検出装置と、この温度検出装置が第１の所定温度を検出したときに前記脱氷装置の駆動装置を駆動させて前記製氷皿を所定角度回動させて前記吹出口を前記蓋体で閉塞するように制御する第１の制御装置と、この第１の制御装置により制御されて前記吹出口が前記蓋体で閉塞されて前記第１の所定温度より高い第２の所定温度を検出すると前記脱氷装置の駆動装置を駆動させて脱氷するように制御する第２の制御装置とを設けたことを特徴とする。
【０００９】
第５の発明は、冷蔵室内に設置した給水タンクからの水を冷凍温度帯室内の製氷皿に供給し、冷凍サイクルを構成する冷却器で冷却された冷気を送風機により吹出口を介して供給することにより製氷された氷を脱氷装置により脱氷して貯氷容器に収納するようにした冷蔵庫において、前記吹出口を閉塞するために前記製氷皿に設けられた蓋体と、前記冷凍温度帯室内の温度を検出する温度検出装置と、製氷が完了したことを検出する製氷完了検出装置と、前記貯氷容器内に所定量以上の氷が収納されているかを検出する満氷検出装置と、前記製氷完了検出装置が製氷が完了したことを検出し且つ前記満氷検出装置で所定量以上の氷が収納されていないと検出されている状態下で前記温度検出装置が所定温度を検出したときに前記脱氷装置の脱氷を行う前に前記製氷皿を所定角度回動させて前記吹出口を前記蓋体で閉塞するように制御する制御装置とを設けたことを特徴とする。
【００１０】
第６の発明は、冷蔵室内に設置した給水タンクからの水を冷凍温度帯室内の製氷皿に供給し、冷凍サイクルを構成する冷却器で冷却された冷気を送風機により吹出口を介して供給することにより製氷された氷を脱氷装置により脱氷して貯氷容器に収納するようにした冷蔵庫において、前記吹出口を閉塞するために前記製氷皿に設けられた蓋体と、前記冷凍温度帯室内の温度を検出する温度検出装置と、製氷が完了したことを検出する製氷完了検出装置と、前記貯氷容器内に所定量以上の氷が収納されているかを検出する満氷検出装置と、前記製氷完了検出装置が製氷が完了したことを検出し且つ前記満氷検出装置で所定量以上の氷が収納されていないと検出されている状態下で前記温度検出装置が所定温度を検出したときに前記脱氷装置の脱氷を行う前に前記製氷皿を所定角度回動させて前記吹出口を前記蓋体で閉塞するように制御する第１の制御装置と、前記温度検出装置が前記所定温度を検出したときから計時するタイマーと、このタイマーが所定時間を計時すると前記脱氷装置が脱氷するように制御する第２の制御装置とを設けたことを特徴とする。
【００１１】
第７の発明は、冷蔵室内に設置した給水タンクからの水を冷凍温度帯室内の製氷皿に供給し、冷凍サイクルを構成する冷却器で冷却された冷気を送風機により吹出口を介して供給することにより製氷された氷を脱氷装置により脱氷して貯氷容器に収納するようにした冷蔵庫において、前記吹出口を閉塞するために前記製氷皿に設けられた蓋体と、前記冷凍温度帯室内の温度を検出する温度検出装置と、製氷が完了したことを検出する製氷完了検出装置と、前記貯氷容器内に所定量以上の氷が収納されているかを検出する満氷検出装置と、前記製氷完了検出装置が製氷が完了したことを検出し且つ前記満氷検出装置で所定量以上の氷が収納されていないと検出されている状態下で前記温度検出装置が第１の所定温度を検出したときに前記脱氷装置の脱氷を行う前に前記製氷皿を所定角度回動させて前記吹出口を前記蓋体で閉塞するように制御する第１の制御装置と、この第１の制御装置により制御されて前記吹出口が前記蓋体で閉塞されて前記第１の所定温度より高い第２の所定温度を検出すると前記脱氷装置が脱氷するように制御する第２の制御装置とを設けたことを特徴とする。
【００１２】
第８の発明は、冷凍室の温度が上昇して第１の所定温度に達すると圧縮機をオンさせて冷却運転を行い、前記冷凍室の温度が下降して第２の所定温度に達すると前記圧縮機をオフさせることにより冷却運転を停止する繰り返し運転を行うと共に冷却器で冷却された冷気を送風機により吹出口を介して供給することにより製氷された氷を脱氷装置が製氷皿を捩じることにより脱氷を行うようにした冷蔵庫において、前記製氷皿に前記吹出口を閉塞可能な蓋体を設け、前記脱氷装置の脱氷を行う前に前記製氷皿を所定角度回動させて前記吹出口を前記蓋体で閉塞することを特徴とする。
【発明の効果】
【００１３】
本発明によれば、製氷された氷を脱氷するために、製氷皿を反転させて、更にこの製氷皿を捩じる場合の駆動装置のトルクを小さくできる冷蔵庫を提供することができる。
【発明を実施するための最良の形態】
【００１４】
以下、本発明を実施するための最良の形態について、図面を参照して説明する。図１において、家庭用の冷蔵庫１は前面を開口させた鋼板製の外箱２と、この外箱２の内部に間隔を存して組み込まれる前面を開口せる硬質の合成樹脂製の内箱３と、両箱２、３間に現場発泡方式により充填された発泡ポリウレタン断熱材４とから本体５が構成されている。
【００１５】
そして、前記内箱３の内部は仕切壁６によって機密を保って隔てられ、上部に冷蔵室７が、一方下部に冷凍温度帯の２段の冷凍室８がそれぞれ形成されている。この冷蔵室７の前面開口に回動可能な冷蔵室扉９が、また冷凍室８の前面開口に引き出し可能な冷凍室扉１０がそれぞれ開閉自在に設けられ、内部の機密が保たれるようになっている。
【００１６】
更に、冷凍室８の背面側には隔壁１１によって冷凍室８と区画された冷却室１２が形成されている。この冷却室１２の下部に冷却器１３が、また上部に送風機１４Ａがそれぞれ配設されている。そして、圧縮機１４Ｂが冷媒を吸入圧縮して高温高圧にし、該圧縮機１４Ｂからの高温高圧のガス状冷媒を凝縮器が凝縮し、キャピラリーチューブにより低温低圧となった冷媒を前記冷却器１３が気化させるが、これらの冷凍サイクルを構成する冷却器１３で冷却された冷気は送風機１４Ａにより前記隔壁１１に形成された吹出口１５を介して冷凍室８に吹き出される。
【００１７】
２６は上段の冷凍室８の室内温度を検出する温度検出装置としての温度検出センサで、この温度検出センサ２６が例えばマイナス１６℃を検出すると後述する制御装置２７が前記圧縮機１４Ｂ及び前記送風機１４Ａを運転させ、またマイナス１８℃を検出すると前記圧縮機１４Ｂ及び送風機１４Ａの運転を停止させるように繰り返し運転を制御する。２８は製氷皿１７の底面に設けられた製氷完了検出装置としての製氷完了センサで、製氷が完了したか否かを検出するセンサである。
【００１８】
そして、冷凍室８の上部には、下方に開口を備えた取付フレーム１６と、この取付フレーム１６内に収納される製氷皿１７と、この製氷皿１７を回動させる正逆転可能な駆動モータ、ギヤ及び出力軸等等を備えた駆動装置１８などから構成される脱氷装置である脱氷機１９が設けられる。また、前記製氷皿１７の下方の下容器２０には貯氷容器２１が配置され、前記駆動装置１８の駆動により製氷皿１７を反転させることにより脱氷動作が成されると、製氷皿１７の氷が貯氷容器２１に移される。
【００１９】
一方、前記冷蔵室７の下部には、フレーム２２によって前面を開口させた給水タンク装着部２３と、後方のポンプ装着部２４とが設けられている。この給水タンク装着部２３には給水タンク３０が配置され、ポンプ装着部２４には給水ポンプ２５を備えた給水系統が配置される。
【００２０】
次に、給水タンク３０及び給水系統について、簡単に説明する。先ず、給水タンク３０は、大きく分けて上面を開口させて有底のタンク本体３１と、このタンク本体３１の上面開口を覆う蓋体３２とから構成される。そして、前記蓋体３２の前部には注水口が形成され、この注水口を開閉可能とする注水用キャップが後部が支持されて回動可能に設けられている。
【００２１】
また、タンク本体３１内に延びる抽出管と、この抽出管の継手部３４と着脱可能に接続される吸込側配管３５と、この吸込側配管３５と連結される給水ポンプ２５と、この給水ポンプ２５と連結されてその下端部が前記製氷皿１７上方に位置する注水配管３６とから給水系統が構成されている。
【００２２】
次に、前記製氷皿１７について、図２、図３に基づいて説明する。平面視矩形の製氷皿１７は、例えば合成樹脂製で、その内側が仕切壁４０により凹状に形成された複数の製氷ブロック４１に区画されている。製氷ブロック４１は上面が開口して、例えば２列に並んで形成され、長手方向に並んだ製氷ブロック４１同士を連通する水路４２と２列の製氷ブロック４１を前後部で連通する水路４３とが仕切壁４０のほぼ中央の上端から下端、すなわち製氷ブロック４１の上端から下端（最下部）にわたり、しかも上部に向かって広くなるように形成されている。
【００２３】
また、駆動モータ等を備えた駆動装置１８により、製氷皿１７は他端側の被支持部４４が図示しない支軸に回転可能に嵌合（遊嵌）しているので回転可能に支持されている。
【００２４】
従って、給水タンク３０からの水が注水配管３６端部の給水口を介して製氷皿１７の被支持部４４寄りの左右の一方の製氷ブロック４１に注水されて、水路４２及び４３を介して各製氷ブロック４１に水が行き渡り、製氷皿１７の裏側に冷却器１３から吹出口１５を介して上部の冷凍室８に送られてきた冷気が送風されて、製氷皿１７を底部側から冷却して製氷が行われる。
【００２５】
なお、４５は前記貯氷容器２１に所定量以上の氷（満氷状態）が蓄えられているか否かを検出する検氷レバーである。また、製氷皿１７の後端部には係合突部４６が設けられ、脱氷の際に図２に示す矢印方向に駆動装置１８により製氷皿１７が概ね１７０度回転して上下反転すると、係合突部４６が仕切壁６に設けられた規制体４７の上部に当接し、捩じりが加えられて製氷された氷が貯氷容器２１に落下して貯氷される構成である。
【００２６】
なお、貯氷容器２１に氷が所定量以上貯氷されているか否かの判断、即ち満氷状態か否かの判断は、脱氷を行う際に、先ず前記検氷レバー４５が貯氷容器２１に向って回転する。このとき検氷レバー４５が、回転しても、貯氷容器２１内の氷に当接して所定値以上の力を受けないことを満氷検出装置としての満氷検出センサ２９が検出した場合には、制御装置２７が貯氷容器２１内に所定量以上貯氷されていない（満氷状態でない）と判断し、前述したような脱氷動作が開始可能となるものである。
【００２７】
また、前記製氷皿１７には前記吹出口１５を閉塞するための蓋体３８（図３では便宜上ハッチングしてある）を軸体３７を介して設け、前記製氷皿１７を概ね９０度回動させると蓋体３８が前記吹出口１５を閉塞し、冷凍室８と冷却室１２とは遮断され、冷凍室８の室内温度を上昇させることができる。
【００２８】
次に、図４に基づき制御ブロック図の説明をすると、２７は冷蔵庫を統括して制御するマイクロコンピュータである制御装置であり、この制御装置２７はＣＰＵ２７Ａ、種々のデータを記憶するＲＡＭ２７Ｂ、制御プログラムを記憶したＲＯＭ２７Ｃなどから構成され、前記温度検出センサ２６、製氷完了センサ２８、満氷検出センサ２９などの情報に基づいてＲＯＭ２７Ｃに記憶されたプログラムに従って冷蔵庫の種々の運転、機能を制御する。４９はタイマーで、前記温度検出センサ２６が前記所定温度マイナス１６℃を検出したときから計時する。
【００２９】
以下、製氷及び脱氷についての動作について説明する。上記のように、圧縮機１４Ｂが冷媒を吸入圧縮して高温高圧にし、該圧縮機１４Ｂからの高温高圧のガス状冷媒を凝縮器が凝縮し、キャピラリーチューブにより低温低圧となった冷媒を前記冷却器１３が気化させ、この冷却器１３で冷却された冷気が送風機１４Ａにより吹出口１５を介して冷凍室８に吹き出される。この場合、温度検出センサ２６がマイナス１６℃を検出すると制御装置２７が前記圧縮機１４Ｂ及び前記送風機１４Ａを運転させるように、またマイナス１８℃を検出すると前記圧縮機１４Ｂ及び送風機１４Ａの運転を停止させるように制御する。
【００３０】
そして、給水タンク３０からの水が注水配管３６端部の給水口を介して製氷皿１７の被支持部４４寄りの左右の一方の製氷ブロック４１に注水されて、水路４２及び４３を介して各製氷ブロック４１に水が行き渡ると、製氷皿１７の裏側に前記冷却器１３から吹出口１５を介して上部の冷凍室８に送られてきた冷気が送風されて、製氷皿１７を底部側から冷却して製氷が行われる。
【００３１】
この製氷が行われて、製氷皿１７底面の温度がマイナス１１℃になると、製氷完了センサ２８が製氷が完了したことを検出し、その検出信号が制御装置２７に入力される。
【００３２】
すると、前記製氷が完了した旨の検出信号が入力された制御装置２７は、検氷レバー４５を貯氷容器２１に向って回転させるように制御する。この場合、この検氷レバー４５が所定角度回転しても、貯氷容器２１内の氷に当接したときに所定値以上の力を受けないことを満氷検出センサ２９が検出した場合には、制御装置２７は貯氷容器２１内に所定量以上貯氷されていない（満氷状態でない）と判断し、脱氷動作を開始可能とするように制御する。
【００３３】
そして、温度検出センサ２６が冷凍室８の室内温度がマイナス１６℃であることを検出すると、制御装置２７が前記圧縮機１４Ｂ及び前記送風機１４Ａを運転させるように制御すると共に前記タイマー４９が計時動作を開始する。
【００３４】
また、この温度検出センサ２６が冷凍室８の室内温度がマイナス１６℃であることを検出すると、制御装置２７は駆動装置１８を制御して前記製氷皿１７を概ね９０度回動させ、蓋体３８により前記吹出口１５を閉塞し、冷凍室８と冷却室１２とを遮断し、冷凍室８の室内温度を上昇させる。
【００３５】
その後、前記タイマー４９が所定時間の経過を計時すると、制御装置２７は駆動装置１８へ運転信号を出力し、更に製氷皿１７を回動させ、製氷皿１７が元の状態から上下反転すると係合突部４６が仕切壁６に設けられた規制体４７の上部に当接し、捩じりが加えられて製氷された氷が貯氷容器２１に落下して貯氷される。
【００３６】
この場合、冷凍室８の室内温度が高い（マイナス１８℃より高い）温度であるマイナス１６℃であることを検出した際に、制御装置２７が駆動装置１８を制御して前記製氷皿１７を概ね９０度回動させ、蓋体３８により前記吹出口１５を閉塞し、この検出時点からタイマー４９が計時を開始して所定時間を経過するまで冷凍室８と冷却室１２とを遮断するため、冷凍室８の室内温度を上昇させ、この所定時間経過後に製氷皿１７の回動及び捩じり動作による脱氷動作を行うので、氷は製氷皿１７から比較的剥離し易いので、脱氷の際の製氷皿１７を捩じる場合の駆動装置１８のトルクを小さくすることができる。
【００３７】
そして、氷が製氷皿１７から落下した後、駆動装置１８により製氷皿１７は逆転し、製氷皿１７が反転前の状態、すなわち開口を上にした状態に戻る。次に制御装置２７から給水ポンプ２５へ運転信号を出力する。
【００３８】
このため、給水ポンプ２５は所定時間運転し、給水タンク３０の水が注水配管３６から流下し、製氷皿１７に供給される。この場合、製氷皿１７の後端の一方の製氷ブロック４１に供給された水は各水路４２、４３を介して隣り合う各製氷ブロック４１へ流れる。このとき、各水路４２、４３は各製氷ブロック４１の下端から上方へ形成されているため、一部の製氷ブロック４１に供給された水を各水路４２、４３を介して全ての製氷ブロック４１へ仕切壁４０のほぼ上端のレベルまでほぼ均一に供給することとなり、以後製氷されることとなる。
【００３９】
次に、第２の実施形態につき説明する。先ず、前述したように、冷却器１３で冷却された冷気が送風機１４Ａにより吹出口１５を介して冷凍室８に吹き出されて、温度検出センサ２６がマイナス１６℃を検出すると制御装置２７が前記圧縮機１４Ｂ及び前記送風機１４Ａを運転させるように、またマイナス１８℃を検出すると前記圧縮機１４Ｂ及び送風機１４Ａの運転を停止させるように制御する。
【００４０】
そして、給水タンク３０からの水が供給された製氷皿１７を底部側から冷却して製氷が行われ、製氷皿１７底面の温度がマイナス１１℃になると、製氷完了センサ２８が製氷が完了したことを検出し、その検出信号が制御装置２７に入力される。すると、前記製氷が完了した旨の検出信号が入力された制御装置２７は、検氷レバー４５を貯氷容器２１に向って回転させる。この場合、この検氷レバー４５が所定角度回転しても、貯氷容器２１内の氷に当接したときに所定値以上の力を受けないことを満氷検出センサ２９が検出した場合には、制御装置２７は貯氷容器２１内に所定量以上貯氷されていない（満氷状態でない）と判断し、脱氷動作を開始可能とするように制御する。
【００４１】
そして、温度検出センサ２６が冷凍室８内の温度がマイナス１６℃であることを検出すると、制御装置２７が前記圧縮機１４Ｂ及び前記送風機１４Ａを運転させるように制御すると共に制御装置２７は駆動装置１８を制御して前記製氷皿１７を概ね９０度回動させ、蓋体３８により前記吹出口１５を閉塞し、冷凍室８と冷却室１２とを遮断し、冷凍室８の室内温度を上昇させる。
【００４２】
その後、前記蓋体３８の前記吹出口１５の閉塞により冷凍室８の室内温度が上昇して、前記温度検出センサ２６がマイナス１１℃を検出した検出出力が制御装置２７に入力されると、制御装置２７は駆動装置１８へ運転信号を出力して、更に製氷皿１７を回動させ、製氷皿１７が元の状態から上下反転すると係合突部４６が仕切壁６に設けられた規制体４７の上部に当接し、捩じりが加えられて製氷された氷が貯氷容器２１に落下して貯氷される。
【００４３】
この場合、蓋体３８により前記吹出口１５を閉塞して、冷凍室８の室内温度を上昇させ、この温度が上昇してマイナス１１℃に達してから製氷皿１７の回動及び捩じり動作による脱氷動作を行うので、氷は製氷皿１７から比較的剥離し易いので、脱氷の際の製氷皿１７を捩じる場合の駆動装置１８のトルクを小さくすることができる。
【００４４】
以上本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【図面の簡単な説明】
【００４５】
【図１】冷蔵庫の縦断側面図である。
【図２】脱氷機の背面方向から見た斜視図である。
【図３】脱氷機を動作させて製氷皿を概ね９０度回動させて吹出口を蓋体が閉塞した状態を示す斜視図である。
【図４】制御ブロック図である。
【符号の説明】
【００４６】
１              冷蔵庫
１４Ａ          送風機
１４Ｂ          圧縮機
１５            吹出口
１７            製氷皿
１８            駆動装置
１９            脱氷機
２５            給水ポンプ
２６            温度検出センサ
２７            制御装置
２８            製氷完了センサ
２９            満氷検出センサ
３０            給水タンク
３８            蓋体
４９            タイマー
【図１】
2005134092.tif 000003
【図２】
2005134092.tif 000004
【図３】
2005134092.tif 000005
【図４】
2005134092.tif 000006